(57)【要約】【課題】  高速道路において、迅速且つ容易に、ＬＥＤ表示装置の設置・交換を可能とするものを提供すること。【解決手段】  複数のＬＥＤ１２が表面に固着され該複数のＬＥＤに対して電源供給を行う供給部及び該供給部を制御する制御部を備えるＬＥＤ配列板１０と、複数の前記ＬＥＤ配列板を連接させて収容し封止できるようにした少なくとも表面が透過性をもってなるシート３０と、複数の前記ＬＥＤ配列板が互いの小口面が突合させた状態でそれぞれの供給部及び／もしくは制御部を配線をもって接合する配線部と、前記配線部を介して各ＬＥＤ配列板に接続され各ＬＥＤ配列板の各々のＬＥＤの点灯もしくは点滅をタイミング制御する全体制御部２２とを具備する。【選択図】図１
2011040570.tif 000002
【特許請求の範囲】
【請求項１】
複数のＬＥＤが表面に固着され該複数のＬＥＤに対して電源供給を行う供給部及び該供給部を制御する制御部を備えるＬＥＤ配列板と、複数の前記ＬＥＤ配列板を連接させて収容し封止できるようにした少なくとも表面が透過性をもってなるシートと、複数の前記ＬＥＤ配列板が互いの小口面が突合させた状態でそれぞれの供給部及び／もしくは制御部を配線をもって接合する配線部と、前記配線部を介して各ＬＥＤ配列板に接続され各ＬＥＤ配列板の各々のＬＥＤの点灯もしくは点滅をタイミング制御する全体制御部とを具備することを特徴とする携帯折畳式ＬＥＤ表示装置。
【請求項２】
各々の前記ＬＥＤ配列板は互いに小口面が突合するように連接され、前記連接された突合面が折曲面として九十九折に折り曲げられるように形成されることを特徴とする請求項１記載の携帯折畳式ＬＥＤ表示装置。
【請求項３】
前記シートには前記ＬＥＤ配列板を封止する封止面とは別にタブ面が形成され、該タブ面には上下両端に固定棒を貫通させることが可能な孔部が貫設されることを特徴とする請求項１もしくは２記載の携帯折畳式ＬＥＤ表示装置。
【発明の詳細な説明】
【技術分野】
【０００１】
本発明はたとえば、ＬＥＤを用いた表示装置に係り、特に、高速道路における設置・運用・撤収の容易な、携帯型ＬＥＤ情報板（標識）に関する。
【背景技術】
【０００２】
また、たとえば、事故などにより交通渋滞が発生するような緊急時の場合、即時に交通案内ＬＥＤ表示装置や標識を適切な場所に簡単に設置できるようなものはなく、且つ携帯性・可搬性に優れたものもなかった。
【発明の概要】
【発明が解決しようとする課題】
【０００３】
高速道路等において事故などが発生した場合速やかに後続車両に状況を伝達する必要があり、そのために固定式の大型ＬＥＤ表示器や仮設型の物も使われているが事故等はいつ、どこで発生するかは判らず、発生した場所に都合よくＬＥＤ表示器が設置されているとは限らない。
【０００４】
本発明は、このような従来技術上の問題点を解決するためになされたもので、軽量で折りたたみが出来、専用バックなどに入れて簡単に携帯でき、必要な時に短時間で設置、運用、撤収が可能な携帯式ＬＥＤ表示器を提供することにある。
【０００５】
すなわち高速道路等において事故などが発生した様な場合に最初に現場に到着する警察、道路管理者等の車両に本発明による携帯式ＬＥＤ表示器を搭載しておき、現場に到着後短時間でＬＥＤ表示器を設置して情報を表示することにより、２次災害を防止すると共に円滑に車両を誘導しようとするものである。
【０００６】
換言すれば本発明の目的は、高速道路において、迅速且つ容易に、ＬＥＤ表示装置の設置・交換を可能とするものを提供することにある。本発明の別の目的は、高所においての複雑な作業を特に必要としない表示装置を提供することにある。本発明のさらに別の目的は、防水性、ＵＶカット性を備えるＬＥＤ表示装置を提供することにある。本発明のまた別の目的は、劣化防止を図ることが可能なＬＥＤ表示装置を提供することにある。
【課題を解決するための手段】
【０００７】
かかる目的を達成するために、本発明に係る携帯折畳式ＬＥＤ表示装置は、複数のＬＥＤが表面に固着され該複数のＬＥＤに対して電源供給を行う供給部及び該供給部を制御する制御部を備えるＬＥＤ配列板と、複数の前記ＬＥＤ配列板を連接させて収容し封止できるようにした少なくとも表面が透過性をもってなるシートと、複数の前記ＬＥＤ配列板が互いの小口面が突合させた状態でそれぞれの供給部及び／もしくは制御部を配線をもって接合する配線部と、前記配線部を介して各ＬＥＤ配列板に接続され各ＬＥＤ配列板の各々のＬＥＤの点灯もしくは点滅をタイミング制御する全体制御部とを具備する。
【０００８】
本発明においては、１文字単位の薄型ＬＥＤ表示器を複数枚等間隔でケーブルにより接続し、それをビニール製の袋に収納して密閉することでつづら折り式にたたむことが出来、ビニールにより保護されているために重ねてもＬＥＤ同士が直接接触する事こと無く、さらに防水、防塵性があり過酷な屋外での使用に十分耐えるものである。
【０００９】
ＬＥＤ配列板は、たとえば一定の剛性を有する平板であり、材質としてはたとえば、木材、プラスチック（たとえばポリカーボネート）、金属等であってもよい。また、表面には多数の孔を穿設してその孔にＬＥＤを埋め込む。ＬＥＤについては市販のものでもよいが、高さを抑えたＬＥＤを用いることで、本発明に係る装置全体としての厚さを薄くすることができる。また、ＬＥＤ配列板として、代替的に、ある程度の可撓性を有する材料を用いることもでき、その場合には、曲面等においても面に沿わせるようにＬＥＤ表示装置を設置した上で、ＬＥＤ点灯点滅を行うことができ、曲面上の照明という特別な効果を得ることが可能である。また、ＬＥＤ配列板とＬＥＤとの取り合い箇所においては、ＬＥＤが抜けない程度の固着性を有する固着方法にて配列板に固定させる。たとえば、接着剤、ねじどめ、ピン留め等を採用することができる。溶接により固定することでもよいが、好適には、ＬＥＤが故障した場合に交換作業を行いやすいような方法とする。
【００１０】
シートは、一定の厚み、剛性及び可撓性を備えた面状のものであり、材質としては、たとえば、ビニール（軟質プラスチック）、アクリル、スチレン類等でもよく、特に限定はない。少なくとも表面、すなわちＬＥＤ配列板のＬＥＤ発光側に接する面は一定の透過性を持たせるものとする。たとえば、表面を透明ビニール、背面をより丈夫で厚手の不透明性ビニールとして形成するものでもよい。また、シートにＬＥＤ配列板を収容したのちには収容のための挿入口は封止してＬＥＤ、ＬＥＤ配列板を雨水等から防御するものとするのが好ましい。この封止としては、たとえば、シート切片の接着、溶着のほか、ファスナーを用いるもの、雨水の入り込むのと逆向きに折り返しを設けて部分的に二重にするもの等、各種方法を採用することができる。
【００１１】
全体制御部とは、各ＬＥＤ配列板に搭載されるＬＥＤに対して、それぞれ個別に、点灯もしくは点滅のタイミング、点灯時間等を制御する機能を有する部品・装置であり、たとえば、タイミング制御をプログラム的に実行するアルゴリズムを実行可能プログラムとしてＲＯＭ化したもの、かかるアルゴリズムをＩＣチップとしてこれを搭載した基板等として実現することができる。この全体制御部は、使用勝手に応じて、たとえばＬＥＤ配列板の連接部分とは別個の系統として、端部に設けるようにすることもできるが、配設位置に特に限定はない。
【００１２】
このように構成される本発明によれば、ＬＥＤ、供給部及び制御部を備えるＬＥＤ配列板が（たとえば横一列に）連接された状態で少なくとも表面が透過性を持つシートに収容され封止され、配線部を介して全体制御部により各ＬＥＤ配列板の各々のＬＥＤの点灯もしくは点滅がタイミング制御される。すなわち、単数又は複数の袋部が上下位置関係で配設された一定の透過性のあるシートにおいて、ＬＥＤ配列板が袋部に封止され、このＬＥＤ配列板が封止されたシートが折畳まれることで、封止済ＬＥＤ配列板を持つＬＥＤ表示装置が全体として携帯・可搬可能にすることができる。さらに、封止済ＬＥＤ配列板を持つＬＥＤ表示装置の設置・交換が容易となる。
【００１３】
また、ＬＥＤ配列板を透過性のあるシートに封止する構成により、ＬＥＤ表示装置として、防水性、防ＵＶ性を実現できる。したがって、屋外での必要に応じた仮設的ＬＥＤ表示装置の使用が実現できる。にさらに、全体制御部を有することで、表示文字等を時間的に変動させ、ニーズに応じた様々な表示を行うことができる。
【００１４】
また、たとえば高所におけるＬＥＤ表示装置の交換作業において、透過性シートからＬＥＤ表示装置を取り外し、低所において、複数枚あるＬＥＤ表示板うちのいずれかもしくは全部を透過性シートの袋部より取出し、新品と交換した後、前記ＬＥＤ表示装置を高所に設置すればよい。これで高所における交換作業を低所で行うことが可能となり、高所における交換作業の危険性を解消することができる。
【００１５】
上記構成においては、各々の前記ＬＥＤ配列板は互いに小口面が突合するように連接され、前記連接された突合面が折曲面として九十九折に折り曲げられるように形成されるような構成としてもよい。
【００１６】
九十九折とは、複数の面体が連接されて構成される対象において、隣り合う面体同士が、表面―表面、裏面―裏面が順番に重合しあうように折りたたまれる構造をいう。
【００１７】
このような九十九折に折畳まれる構成とすることで、ＬＥＤ表示装置全体として非常にコンパクトになり、携帯性・可搬性に優れたものを実現することができる。したがって、緊急に道路において案内表示板が必要になったときなどに、折畳済みのＬＥＤ表示装置を展開することで、即時に設置・展開でき、案内表示板としての機能を発揮することができる。
【００１８】
また上記の場合、ＬＥＤ表示装置は透過性シートによって保護されているため、前記ＬＥＤ表示装置同士が擦れ合った場合には損傷防止になりうる。
【００１９】
またＬＥＤ表示装置は、前記ＬＥＤが発光した際、前記ＬＥＤ表示装置から１００Ｍ離れた場所からでも視認できるよう、ＬＥＤ本体が集光レンズに被覆されて構成しても良い。
【００２０】
上記構成においては、前記シートには前記ＬＥＤ配列板を封止する封止面とは別にタブ面が形成され、該タブ面には上下両端に固定棒を貫通させることが可能な孔部が貫設されるような構成としてもよい。
【００２１】
透過性シートの左右両端に小さな孔を貫設し、そこに固定棒を通して、固定することで、本願に係る携帯折畳式ＬＥＤ表示装置を道路に設置する際、その安定性、固定性を高めることができる。この場合、孔の径は固定棒を通過させるのに十分な寸法があればよく、また、剛性を高めるために、孔を穿設した周囲にはリングによる抑え等の小口養生を別途設けてもよい。さらに、固定棒としては、材質に特に限定はないが、風雪等にも耐える程度の一定の剛性を備え、さらに好適には、運搬上の便宜から重量の軽いものとする。
【発明の効果】
【００２２】
本発明により大型のＬＥＤ表示器を簡単に携帯してどこにでも短時間で設置出来るようになり、運用後は速やかに撤収することが可能で、危険の伴う事故現場などにおいて運用することにより作業者の安全、二次的な事故の防止、円滑な車両の誘導などに寄与できる。
【００２３】
したがって本発明によれば、高速道路において、迅速且つ容易に、ＬＥＤ表示装置の設置・交換が可能となる。また、本発明によれば、高所においての複雑な作業を特に必要としない。さらに本発明によれば、ＬＥＤ表示装置が防水性、ＵＶカット性を備えることにより、劣化防止を図ることが可能となる。
【図面の簡単な説明】
【００２４】
【図１】本発明の一実施形態に係るＬＥＤ表示装置の全体を表す正面図である。
【図１Ａ】本発明の一実施形態に係るＬＥＤ表示板の構造を表す断面図である。
【図２】本発明の一実施形態に係る透過性シートの全体を表す正面図とそれを横から見た横面図である。
【図３】本発明の一実施形態に係るＬＥＤ表示装置を、透過性シートに封止した横面図である。
【図４】本発明の一実施形態に係る透過性シートの上部両端に小さな孔を貫設し、その孔に固定棒を通した正面図である。
【図５】本発明の一実施形態に係る透過性シートを九十九折に折畳む動作と、その動作を完了したことを示す斜視図である。
【図６】本発明の一実施形態に係る５つのＬＥＤ表示装置の上下両端に小さな孔を貫設し、図４における透過性シートの上辺両端の孔から固定棒を通し、ＬＥＤ表示装置の孔にも固定棒を通した正面図である。
【図７】本発明の一実施形態に係るＬＥＤ表示装置に、「中」という漢字を表示させた正面図である。
【図８】本発明の一実施形態に係る封止済ＬＥＤ表示装置のそれぞれに「車両規制中」という文字列を表示させた正面図である。
【図９】本発明の一実施形態に係る透過性シート製造過程を表す図である。
【図１０】本発明の一実施形態に係る製造過程を表す後半の図と、丸で示した箇所の拡大図である。
【発明を実施するための形態】
【００２５】
以下、図面を参照して本発明を実施するための形態について説明する。なお、以下では、本発明の目的を達成するための説明に必要な範囲を模式的に示し、本発明の該当部分の説明に必要な範囲を主に説明することとし、説明を省略する箇所については公知技術によるものとする。
【００２６】
図１は本発明の一実施形態に係るＬＥＤ表示装置の全体を表す正面図である。ＬＥＤ表示装置１において、ＬＥＤ表示板１０は複数のＬＥＤ１２を被覆・挿入・固着し、ＬＥＤ表示装置１から伸びたコード部２０の先に、ＬＥＤ表示装置１を操作する操作基盤２２を具備して構成される。またＬＥＤ表示板１０の素材はポリカーボネート等のプラスチックが好まれるがこれに限定されるわけではない。
【００２７】
ＬＥＤ表示装置１を操作する操作基盤２２はＬＥＤ表示装置１の表示内容を変動させるものである。具体的には、各ＬＥＤ表示板１０に搭載されるＬＥＤ１２に対して、それぞれ個別に、点灯もしくは点滅のタイミング、点灯時間等を制御する機能を有する部品・装置として実現されるものであり、たとえば、タイミング制御をプログラム的に実行するアルゴリズムを実行可能プログラムとしてＲＯＭ化したもの、かかるアルゴリズムをＩＣチップとしてこれを搭載した基板等として実現することができる。この操作基盤２２は、使用勝手に応じて、たとえばＬＥＤ表示板１０の連接部分とは別個の系統として、端部に設けるようにすることもできるが、配設位置に特に限定はない。
【００２８】
またコード部２０は操作基盤２２から出された指示命令をＬＥＤ表示装置１に伝達する機能を果たす。
【００２９】
図２は透過性シート３０の一形態を表す全体立面図（Ａ）と横断面図（Ｂ）である。まず、全体立面図については、透過性シート３０に、ＬＥＤ表示板１０を封止する袋部３２がたとえば５つ、略５０ｍｍの間隔で連設されている。透過性シート３０はたとえばビニール製が好ましいがこれに限定されるわけではない。また間敷部３４は、透過性シート３０を折畳む際に、山折ないし谷折に対応するため設けられた余白である。また前記各袋部３２にはＬＥＤ表示板１０を封止するための開口部３６を有し、開口部３６はたとえばジッパー（商標）で閉口する構成をとっても良い。しかし、開口部３６の閉口方法はジッパーで閉口する方法に限定されるわけではなく、マジックテープ（登録商標）や両面テープ等の方法でも構わない。また、袋部３２の数、間敷部３４の長さの数値はこれに限定されるわけではない。即ちＬＥＤ表示装置１のサイズ、封止したいＬＥＤ表示装置の数に合わせて変更を許容するものである。
【００３０】
同図（Ｂ）が示すように、袋部３２において一例としては、袋には開口部３６が開設されており、ここより、ＬＥＤ表示装置１を封止する。つまり、ＬＥＤ表示板１０を上下位置関係に配列された袋部３２に横側から一枚ずつ収容することになる。封止の構造としては上述のものに限定されるわけではなく、たとえば、開口部３６がそれぞれの袋部３２に形成されるのではなく透過性シート３０全体を表裏面で形成し、ここに収容物を収容した上で全体を封入するという方法を採用することもできる。
【００３１】
次にこのように構成される高速道路用折畳式携帯ＬＥＤ表示装置の動作の詳細なメカニズムを説明する。
【００３２】
図３が示すのは、袋部３２にＬＥＤ表示板１０を封止した状態のものである。すなわちＬＥＤ表示板１０を開口部３６から挿入し、開口部３６を閉口したものである。また袋部３２と袋部３２の間の間敷部３４は本実施形態では略５０ｍｍ空けて構成される。
【００３３】
図４は、透過性シート３０の上下両端に貫設された孔部４０に固定棒４２を通したものである。すなわち、上辺の孔部４０に固定棒４２を通し、透過性シート３０の背面を通過させて、下辺の孔部４０へと抜けるように形成する。場合に応じて、より安定的にするために、ＬＥＤ封止済み透過性シートを固定したい場合、ＬＥＤ表示装置本体１の上辺両端に孔部を貫設し、透過性シート３０の孔とＬＥＤ表示装置の孔部にパイプを通して構成されても良い。
【００３４】
図５はＬＥＤ表示装置封止済透過性シート６０を九十九折にした状態を斜視した斜視図である。すなわち、折部Ｌ５０−５１は谷折、折部Ｌ５２−５３は山折、折部Ｌ５４−５５は谷折、折部Ｌ５６−５７は山折にして畳んだものが、同図（Ｂ）の折畳済ＬＥＤ表示装置１である。折畳済ＬＥＤ表示装置１は、そのコンパクト性、携帯性、可搬性から、その設置・交換が非常に容易であり、たとえば、事故等発生による緊急の道路整備における交通案内において、交通案内表示板として機能を発揮する。
【００３５】
図６は、本発明の一実施形態に係る５つのＬＥＤ表示装置の上下両端に小さな孔を貫設し、図４における透過性シートの上辺両端の孔から固定棒を通し、ＬＥＤ表示装置の孔にも固定棒を通した正面図である。このようにすることで、たとえば風雪の強い箇所や、災害時など、通常における使用状態とは隔絶した厳しい環境下においても、本願に係るＬＥＤ表示装置は実用性を発揮する。
【００３６】
図７は、本発明の一実施形態に係るＬＥＤ表示装置に、「中」という漢字を表示させた正面図である。このように、ＬＥＤの集合体を蔵しているため、またそれを経時的に制御するため、あらゆる文字が使用可能であり、したがって、日本国内のみならず、世界中のあらゆる文字・記号・簡単な図柄等を表示することが可能である。
【００３７】
図８は、本発明の一実施形態に係る封止済ＬＥＤ表示装置のそれぞれに「車両規制中」という文字列を表示させた正面図である。このように、各表示板１０のそれぞれのＬＥＤを経時的に制御することで、流れるような表示態様、点滅を繰り返す表示態様、表示中心から周囲に文字等が徐々に拡大してゆくような拡散的表示態様など、あらゆる特殊演出効果を伴った表示を実現することが可能である。
【００３８】
図９は、本発明の一実施形態に係る透過性シート製造過程を表す図である。透過性シート３０には、２枚のビニールシート３１０を重ね、上辺の横線をシールし（３２０）、上シートを剥がして袋部３２を正確な位置に配置し、下辺の横線をシールし（３４０）、縦線をシールし（３５０）、外周をシールした（３６０）ものである。
【００３９】
図１０は、本発明の一実施形態に係る製造過程を表す後半の図と、丸で示した箇所の拡大図である。外周に鳩目３７０を取り付け、余分な箇所を切断し（３８０）たものである。左側の丸い箇所の拡大図は、隙間にシリコン７０を充填したことを示す。
【００４０】
以上説明したように、本実施形態によれば本発明にかかる携帯折畳式ＬＥＤ表示装置は、複数のＬＥＤ１２をＬＥＤ表示板１０で覆ったＬＥＤ表示装置１と、単数又は複数の袋部３２が上下位置関係で配設された一定の透過性のあるシート３０において、ＬＥＤ表示板１０を前記袋部３２に封止し、ＬＥＤ表示板１０が封止されたシート６０を折畳むことで、折畳済ＬＥＤ表示装置１を携帯・可搬可能にし、また折畳済ＬＥＤ装置２１を必要な箇所に運搬・設置した上で展開することで、設置・交換を容易にするものである。
【００４１】
本願発明は、上述した実施形態に限定されるものでなく、その技術思想の同一及び等価に及ぶ範囲において上述した実施形態への様々な変形、追加、置換、拡大、縮小等を許容するものである。さらに、上述したものは本願に係る技術思想を具現化するための実施形態の一例を示したにすぎないものであり、他の実施形態でも本願に係る技術思想を適用することが可能である。
【００４２】
たとえば、透過性シート３０の袋部３２は縦一列の方向で等間隔に配設されているが、これに限ったことではなく、必要に応じて縦二列や横並びに配置しても構わない。表示させたい文字の内容や、その外観を利用者にとって見やすく分かり易い構成にすることが望ましい。また上述した説明においては、説明のために一部を省略し、また寸法についてはあくまで概念的なものを示し必ずしも正確でない場合もある点を注配する。また、透過性シート３０は、更なる防水性、耐久性を図り、２枚のビニールシート３１０を重ね、上辺の横線をシールし（３２０）、上シートを剥がして袋部３２を正確な位置に配置し、下辺の横線をシールし（３４０）、縦線をシールし（３５０）、外周をシールし（３６０）、さらに外周に鳩目３７０を取り付け、余分な箇所を切断し（３８０）、隙間はシリコン７０を充填するという工程で製造したものを使用しても良い。
【産業上の利用可能性】
【００４３】
高速道路において、迅速且つ容易に、ＬＥＤ表示装置の設置・交換が可能で、高所においての複雑な作業を特に必要とせず、またＬＥＤ表示装置は防水性、ＵＶカット性を備えていることにより、ＬＥＤ表示装置時代の劣化防止を図ることが可能なＬＥＤ表示装置である点を活かし、病院、市役所などの公共施設のみならず、百貨店、観光施設等に提供することにより、新たな宣伝・広告媒体として利用することも可能である。
【００４４】
たとえば、市役所においては、確定申告の期限の経過に合わせて、「申告手続期限はあと○○日です（○○には任意の数字が入る）」等のメッセージを市民に発信したい場合、本発明を利用すれば、容易にその目的が達成される。また特に市民に発信したメッセージがない場合は、本発明を取り外せよく、コンパクトに折畳めることから本発明の収納・整理も容易に可能となる。
【００４５】
また百貨店においても、新たなメッセージ表示媒体として、顧客吸引力を増大させる効果をもたらすことが期待できる。
【００４６】
さらに、本発明の特徴であるコンパクト性・携帯性を見れば、上記で挙げたような建造物に設置する使用用途だけでなく、たとえば、車両に設置することも可能である。特に交通整備の際に、後部バンパー付近に本発明を設置した警察車両が、道路を走行することで、一般の車両に効果的に交通状況を発信することが可能である。
【００４７】
したがって、本願は、建設、百貨店、ホテル・旅館、生活・福祉等の様々な業界で広く利用可能性を有している。
【符号の説明】
【００４８】
１  ＬＥＤ表示装置
１０  ＬＥＤ表示板
１２  ＬＥＤ
１２Ａ  中
１４  スペーサ
１６  ベースプレート
１８  ポリカーボネート
２０  コード部
２２  操作基盤
３０  透過性シート
３２  袋部
３４  間敷部
３６  開口部
４０  貫設孔
４０Ａ  穴部
４２  固定棒
６０  ＬＥＤ表示装置封止済透過性シート
６５  「車両制限中」の文字を表示させた封止済ＬＥＤ表示装置
７０  シリコン
３１０  ２枚のビニールシート
３２０  上辺の横線をシール
３４０  下辺の横線をシール
３５０  縦線をシール
３６０  外周をシール
３７０  鳩目
３８０  余分な箇所を切断
Ｌ５０−５１  折部
Ｌ５２−５３  折部
Ｌ５４−５５  折部
Ｌ５６−５７  折部
【図１】
2011040570.tif 000003
【図１Ａ】
2011040570.tif 000004
【図２】
2011040570.tif 000005
【図３】
2011040570.tif 000006
【図４】
2011040570.tif 000007
【図５】
2011040570.tif 000008
【図６】
2011040570.tif 000009
【図７】
2011040570.tif 000010
【図８】
2011040570.tif 000011
【図９】
2011040570.tif 000012
【図１０】
2011040570.tif 000013